(57)【要約】【課題】前進と後退の両方向移動で効率よくアイロンかけがおこなえるコードレスアイロンを実現する。【解決手段】給電部１８の下方にベース３の後端部６ｂを収容する収容部２４を設け、アイロン本体１をスタンド１６に載置したとき、受電端子１５と電極２０の接続部が前記ベースの後端部６ｂより前方に位置するように設定したものである。【選択図】図２
2011097970.tif 000002
【特許請求の範囲】
【請求項１】
前端部および後端部を尖形に形成したベースを有し、前記ベースの上方に配設した把手体の後部に凹状の受電部を設けるとともに、前記受電部内に受電端子を設けたアイロン本体と、前記アイロン本体のベースを前上がりに傾斜させて載置する載置部を有し、前記アイロン本体の受電部に嵌合する凸状の給電部を設けるとともに、前記給電部内に前記受電端子と接続する電極を設けたスタンドとを具備し、前記給電部の下方に前記ベースの後端部を収容する収容部を設け、前記アイロン本体を前記スタンドに載置したとき、前記受電端子と前記電極の接続部が前記ベースの後端部より前方に位置するように設定したコードレスアイロン。
【請求項２】
収容部は、載置部の上面を後方に向かって先細り状に形成した請求項１記載のコードレスアイロン。
【請求項３】
アイロン本体は、把手体の側面を受電部の開放端に向かって先細り状に形成した請求項１または２記載のコードレスアイロン。
【発明の詳細な説明】
【技術分野】
【０００１】
本発明は、衣類等のしわ伸ばしに用いられるコードレスアイロンに関するものである。
【背景技術】
【０００２】
従来、一般的なアイロンは、かけ面の先端部分を尖った形状にしてあり、衣類の上を滑らせることで、アイロンの進行方向へ衣類を押し広げながらアイロンかけをおこない、衣類のしわを伸ばすとともに、衣類のボタン周りの細かい作業が容易におこなえるようになっている。アイロンかけ作業は、アイロン台上の限られた広さの中でおこなわれるので、衣類の形を整えながら衣類に押圧力を加えてアイロンを往復移動させ、前進と後退の動作が繰り返される。アイロンのかけ面は、一般的に後部が尖っていないため、後退時は、アイロンに押圧力を加えず、衣類上でかけ面の後部を浮かせるようにして移動させることで、アイロンでしわを付ける誤操作を防止することができる。
【０００３】
しかしながら、アイロンかけはアイロンの前進と後退の往復動作で効率よく衣類のしわを伸ばすことができるので、後退時にかけ面の後部を浮かせるとしわ伸ばしの効率が低下することから、後退時にアイロンで衣類にしわを付けてしまう、所謂、戻りじわを付ける失敗は多く、アイロンで付けたしわはとり難いものである。
【０００４】
そこで、図１１に示すように、かけ面１０１の後端部１０２を尖った形状にすることが考えられている（例えば、特許文献１参照）。
【０００５】
上記特許文献１に記載されたアイロンは、アイロンかけ作業中の小休止時にスタンドに載置して加熱し、使用時はスタンドから取り外してその余熱を利用し、電源コードが接続されていない状態でアイロンかけができるコードレスアイロンであり、コードが邪魔にならずに使い勝手がよく、コードレスアイロンにおいても後退時の戻りじわを防止することが考えられている。
【先行技術文献】
【特許文献】
【０００６】
【特許文献１】特開２００９−２８３８５号公報
【発明の概要】
【発明が解決しようとする課題】
【０００７】
しかしながら、前記従来の構成では、かけ面１０１の後端部１０２を尖り角度の小さい形状にすることができず、アイロンを後退させたときの戻りじわをなくすことができないものであった。その理由は、かけ面の後端部の尖り角度を小さくすると、かけ面の面積が著しく減少し、蓄熱容量が少なくなるからである。
【０００８】
一般に、アイロンかけ作業は、衣類上でアイロンを移動させるしわ伸ばし動作と、衣類の形を整える動作があり、このしわ伸ばし動作と衣類の形を整える動作を繰り返しながらアイロンかけがおこなわれる。
【０００９】
コードレスアイロンの場合は、衣類の形を整える小休止時にアイロンはスタンドに置かれ、このときにヒータに通電されて加熱される。加熱されたアイロンをスタンドから取り外してアイロンかけをおこなうことで、かけ面の温度が低下する。そして、衣類の形を整える小休止時に、スタンドに載置して加熱し低下した温度を上昇させ、その余熱を利用してアイロンかけがおこなわれる。この動作を繰り返すことにより電源コードで繋がれたア
イロンと同様にかけ面の温度を維持し、かつ、電源コードが繋がれていない状態で良好な使い勝手を実現している。
【００１０】
このような使い勝手のよいコードレスアイロンにおいて、後退時の戻りじわを効果的に防止するためには、かけ面の後端部１０２を戻りじわが防止できる程度に尖らせる必要があるが、かけ面の面積が小さくなって熱容量が減少するため、余熱を利用するコードレスアイロンではかけ面の温度が急速に低下する。特に、スチーム発生装置を具備している場合は、水の気化に熱が奪われて温度の低下が顕著であり、使用可能な所定の温度に低下するまでの時間が短くなり、頻繁にスタンドへ載置して加熱しなければならなくなるという、新たな課題が生じる。
【００１１】
また、特許文献１に記載されたコードレスアイロンは、後端部１０２の上方は把手体１０４で覆われており、後端部１０２のさらに後方の上部に給電用の接続端子１０４が設けられている。したがって、アイロンを後退させるときに後端部１０２の近傍を見る視線が把手体１０４により遮られて視認することができず、後端部１０２の方向へアイロンを移動させるときの使い勝手が悪いものである。
【００１２】
したがって、コードレスアイロンでは、後端部を尖った形状にしてアイロンを後端部の方向へ移動させるときの戻りじわをなくすことと、かけ面の熱容量を確保してアイロンかけ時の温度低下を少なくすることを両立させることが課題であった。
【００１３】
本発明は、前記従来の課題を解決するもので、後端部の方向へアイロンを移動させるときの使い勝手をよくして、前進と後退の両方向移動で効率よくアイロンかけがおこなえるコードレスアイロンを実現することを目的としている。
【課題を解決するための手段】
【００１４】
前記従来の課題を解決するために、本発明のコードレスアイロンは、前端部および後端部を尖形に形成したベースを有し、前記ベースの上方に配設した把手体の後部に凹状の受電部を設けるとともに、前記受電部内に受電端子を設けたアイロン本体と、前記アイロン本体のベースを前上がりに傾斜させて載置する載置部を有し、前記アイロン本体の受電部に嵌合する凸状の給電部を設けるとともに、前記給電部内に前記受電端子と接続する電極を設けたスタンドとを具備し、前記給電部の下方に前記ベースの後端部を収容する収容部を設け、前記アイロン本体を前記スタンドに載置したとき、前記受電端子と前記電極の接続部が前記ベースの後端部より前方に位置するように設定したものである。
【００１５】
これによって、後端部の方向へアイロンを移動させるときに戻りじわを付ける誤操作を防止することができ、アイロンかけ時における前進と後退の両方向移動で効率よくアイロンかけがおこなえる。また、かけ面の面積が減少することなく後端部を尖形に形成することができるので、かけ面の熱容量を確保してアイロンかけ時の温度低下を少なくすることができる。
【発明の効果】
【００１６】
本発明のコードレスアイロンは、後端部の方向へアイロンを移動させるときの使い勝手をよくして、前進と後退の両方向移動で効率よくアイロンかけをおこなうことができる。
【図面の簡単な説明】
【００１７】
【図１】本発明の第１の実施の形態におけるコードレスアイロンの側面図
【図２】同コードレスアイロンの要部断面図
【図３】同コードレスアイロンの要部の拡大断面図
【図４】同コードレスアイロンのアイロン本体の上面図
【図５】同コードレスアイロンのアイロン本体の後面図
【図６】同コードレスアイロンの上面図
【図７】同コードレスアイロンのスタンドの上面図
【図８】同コードレスアイロンのスタンドの要部上面図
【図９】本発明の第２の実施の形態におけるコードレスアイロンの要部断面図
【図１０】本発明の第３の実施の形態におけるコードレスアイロンの要部断面図
【図１１】従来のコードレスアイロンのかけ面の下面図
【発明を実施するための形態】
【００１８】
第１の発明は、前端部および後端部を尖形に形成したベースを有し、前記ベースの上方に配設した把手体の後部に凹状の受電部を設けるとともに、前記受電部内に受電端子を設けたアイロン本体と、前記アイロン本体のベースを前上がりに傾斜させて載置する載置部を有し、前記アイロン本体の受電部に嵌合する凸状の給電部を設けるとともに、前記給電部内に前記受電端子と接続する電極を設けたスタンドとを具備し、前記給電部の下方に前記ベースの後端部を収容する収容部を設け、前記アイロン本体を前記スタンドに載置したとき、前記受電端子と前記電極の接続部が前記ベースの後端部より前方に位置するように設定したことにより、後端部の方向へアイロンを移動させるときに戻りじわを付ける誤操作を防止することができるとともに、かけ面の面積が減少することなく後端部を尖形に形成することができるので、かけ面の熱容量を確保してアイロンかけ時の温度低下を少なくすることができ、使い勝手のよいコードレスアイロンを実現することができる。また、ベースの後端部が受電端子の後端部から後方へ突出するので、アイロンかけの後退時に後端部の視認性を確保し、前進と後退の両方向移動で効率よくアイロンかけがおこなえる。
【００１９】
第２の発明は、特に、第１の発明の収容部は、載置部の上面を後方に向かって先細り状に形成したことにより、アイロン本体をスタンドへ載置する際に、アイロン本体の受電部を給電部に導いて嵌合させることができ、給電部の電極に受電部の受電端子を的確に接続することができるとともに、収容部をコンパクトに構成することができる。
【００２０】
第３の発明は、特に、第１または第２の発明のアイロン本体は、把手体の側面を受電部の開放端に向かって先細り状に形成したことにより、アイロンかけ時の後退時にベースの後端部の視認性を確保することができ、後端部の方向へアイロンを移動させるときに戻りじわを付ける誤操作を防止することができ、使い勝手をよくすることができる。
【００２１】
以下、本発明の実施の形態について、図面を参照しながら説明する。なお、本実施の形態によって本発明が限定されるものではない。
【００２２】
（実施の形態１）
図１は、本発明の第１の実施の形態におけるコードレスアイロンの側面図、図２は、同要部断面図、図３は、同要部の拡大断面図、図４は、同アイロン本体の上面図、図５は、同アイロン本体の後面図、図６は、同コードレスアイロンの上面図、図７は、同スタンドの上面図、図８は、同スタンドの要部上面図である。
【００２３】
図１〜図８において、アイロン本体１は、埋設したヒータ２によって加熱されるベース３と、このベース３の上面側に凹状に形成したスチームを発生させる気化室４と、ベース３の下面に気化室４で発生したスチームを噴出させるスチーム孔５を有し、ベース３の前端部６ａと後端部６ｂを尖形に形成したかけ面６を備えている。スチーム孔５は、前端部６ａと後端部６ｂの近傍を含めて、かけ面６の広い範囲に多数形成している。
【００２４】
７は気化室４に供給する水を貯える樹脂製のタンク、８は手動操作によってタンク７から気化室４への水の供給と停止をおこなうスチーム釦、９はベース３の上面側を覆うよう
に設けた断熱板、１０は断熱板９の上方に配設した樹脂製の把手体で、握り部１１を形成している。
【００２５】
１２はアイロン本体１の後部に設けたターミナル部１３を後方から覆うように把手体１０に取り付けた把手裏板で、アイロン本体１の後面から内方へ凹状に窪ませて受電部１４を形成している。受電部１４内には、ヒータ２回路と接続している受電端子１５がターミナル部１３から受電部１４内に後方へ突出している。
【００２６】
アイロン本体１を載置するスタンド１６は、ベース３を前上がりに傾斜させて載置する載置部１７を有し、載置部１７にはベース３のかけ面６を下方から支持するローラーで構成した支持体１７ａを設けている。支持体１７ａに支持されたかけ面６の傾斜角度は、置き易く取り外しが容易な２０〜３０°に設定してあり、ローラーによって後方へ移動するようになっている。支持体１７ａは、ベース３の前後方向に２か所設けてあり、かけ面６の前部と後部を離れた位置で安定的に支持する。
【００２７】
スタンド１６の後部には、載置部１７に載置されたアイロン本体１の受電部１４が嵌合する凸状の給電部１８を設けている。この給電部１８の前面にはアイロン本体１の載置時に受電端子１５が貫通する孔１９が左右方向に設けてあり、給電部１８内に設けた電極２０に受電端子１５が接続されるように構成している。
【００２８】
給電部１８内には、アイロン本体１がスタンド１６から取り外されているときに、孔１９を閉じる方向へバネ付勢されたシャッター２１が可動自在に設けられている。アイロン本体１の載置時は、受電部１４に設けた支持部２２によりシャッター２１の操作部２１ａを後方へ押圧し、受電端子１５側へのバネ付勢力に抗してシャッター２１を回動させて孔１９を開き、受電端子１５が孔１９を通して電極２０と接続されるように構成している。
【００２９】
支持部２２は、把手裏板１２と一体成型で薄板状に形成するとともに、受電部１４内の上部に垂直方向に設けてあり、受電端子１５の上方に配設し後方へ突出させている。給電部１８の上面には、支持部２２が嵌入可能な溝状のスリット２３がアイロン本体１の変位方向、すなわち、前後方向に形成してあり、スリット２３に支持部２２が所定の長さで嵌合することでアイロン本体１の変位方向が規制される。
【００３０】
支持部２２が嵌入するスリット２３の入り口、すなわち、給電部１８の前面にスリット２３に向かって傾斜する誘導部１８ａを設けている。誘導部１８ａは、略Ｖ字状に形成され、スリット２３の前端部分から前方に向かって左右方向へ開くように傾斜しており、スタンド１６への載置時に支持部２２の先端が誘導部１８ａの傾斜面に当接したとき、スリット２３の前端部分である入り口に向かって傾斜面を滑動し、スリット２３内へと誘導される。
【００３１】
給電部１８の前面の下部、すなわち、誘導部１８ａの下方には、アイロン本体１の受電部１４に向かって円弧状に突出する膨出部１８ｂを形成してあり、スタンド１６への載置時に受電部１４の開放端１４ａが膨出部１８ｂに当接したとき、円弧面に沿って開放端１４ａが左右方向へ滑動し、受電部１４が給電部１８に嵌合するようにアイロン本体１の後部を変位させる。
【００３２】
したがって、アイロン本体１をスタンド１６へ載置するときは、給電部１８の前面の上部に設けた誘導部１８ａと、給電部１８の前面の下部に設けた膨出部１８ｂとで、アイロン本体１の受電部１４を的確に給電部１８嵌合させて、受電端子１５と電極２０を確実に接続させることができる。
【００３３】
給電部１８の下方には、アイロン本体１の載置時にベース３の後端部６ｂを収容する収容部２４が設けてあり、アイロン本体１をスタンド１６に載置したとき、受電端子１５と電極２０の接続部がベース３の後端部６ｂより前方に位置するように設定している。つまり、ベース３の後端部６ｂより前方に受電端子１５の先端が位置するようにしている。
【００３４】
収容部２４は、載置部１７の上面を後方に向かって先細り状に形成してあり、尖った形状の後端部６ｂが給電部１８の下方にコンパクトに収容されるようにしている。そして、アイロン本体１は、把手体１０の側面１０ａを受電部１４の開放端１４ａに向かって先細り状に形成している。
【００３５】
受電端子１５の下方には、ベース３の後端部６ｂの上面側を覆うようにカバー部２５が設けてあり、受電部１４を形成している把手裏板１２を下方へ延設してカバー部２５を形成し、把手体１０の一部を構成している。そして、カバー部２５は、その外周縁をベース３の外周縁に沿って後端部６ｂまで形成し、後端部６ｂの上方を後端部６ｂと略同形状で覆っている。
【００３６】
スタンド１６の後部には、給電部１８の両側に放熱部２６が設けてあり、収容部２４を介して給電部１８の両側と連通するように形成し、外部の空気と円滑に置換されるようにしてあり、アイロン本体１をスタンド１６に載置したとき、収容部２４に位置し高温に加熱されるベース３の後端部６ｂの熱を収容部２４から外部へ放出し、給電部１８が過熱されるのを防止するようにしている。
【００３７】
アイロン本体１をスタンド１６に載置する載置部１７の両側に、アイロン本体１の受電部１４を給電部１８へ案内するガイド部２７が設けてあり、このガイド部２７の後端２７ａと給電部１８との間に放熱部２６が形成され、十分な放熱空間を確保している。載置部１７の両側に設けたガイド部２７の間隔は、スタンド１６の後部に設けられている給電部１８に近づくにしたがって狭くなっており、アイロン本体１の後部に設けた受電部１４が給電部１８へスムースに嵌合するようにしている。
【００３８】
給電部１８は、収容部２４の上面を構成する下面１８ｃを前上がりに傾斜させてあり、アイロン本体１がスタンド１６から容易に取り外すことができるようにしている。また、下面１８ｃの後部は、後端部６ｂが収容部２４に収容されるように後端部６ｂの後方へ延設している。カバー部２５の上面側には、収容部２４の下面１８ｃ側へ円弧状に膨出させたリブ２５ａを設けており、アイロン本体１をスタンド１６へ載置するときと、スタンド１６から取り外すときに、アイロン本体１の変位方向、すなわち、前後方向に設けたリブ２５ａの頂部が給電部１８の下面１８ｃに当接して、スムースに着脱できるようにしている。
【００３９】
以上のように構成された本発明のコードレスアイロンについて、以下、その動作、作用を説明する。アイロンかけをおこなうときは、スタンド１６の載置部１７に設けられている支持体１７ａ上にアイロン本体１のかけ面６を載置し、受電端子１５が電極２０に接続された状態で、電源コード２８を通じて電極２０に通電する。
【００４０】
握り部１１の前部に設けた温度設定部２９より、かけ面６が所定の温度（例えば、２００℃）に加熱されるように設定する。気化室４が水の蒸発可能温度に上昇すると、バイメタル３０が反転して熱応動弁３１が開き、スチーム釦８の手動操作によってタンク７内の水を気化室４へ滴下供給することができる。
【００４１】
給電部１８の下方にベース３の後端部６ｂを収容する収容部２４が設けてあり、アイロン本体１をスタンド１６に載置したとき、受電端子１５と電極２０の接続部がベース３の
後端部６ｂより前方に位置するように設定しているので、かけ面６の面積を大きく減少させることなく後端部６ｂを尖形に形成してかけ面６の熱容量を確保することができる。したがって、余熱を利用したコードレスアイロンにおいても後端部６ｂを尖形に形成することが可能になり、スチームを利用したアイロンかけ時の温度低下を少なくすることができ、使い勝手のよいコードレスアイロンを実現することができる。
【００４２】
握り部１１を把持してアイロン本体１をスタンド１６から取り外し、衣類等の上を前後方向へ押圧しながら移動させると、前進時は尖った前端部６ａによって衣類を押し広げながらしわ伸ばしがおこなえ、また、図４に示すように後端部６ｂを前端部６ａと略同じ尖り角度に尖った形状に形成しているので、後退時も前進時と同様に衣類を押し広げながらしわを伸ばすことができるので、戻りじわの発生を防止することができ、後端部６ｂの方向へアイロンを移動させるときの使い勝手をよくすることができる。
【００４３】
また、ベース３の後端部６ｂが電極２０と接続する受電端子１５の後端部から後方へ突出するので、アイロンかけの後退時に後端部６ｂの視認性を確保し、前進と後退の両方向移動で効率よくアイロンかけがおこなえる。
【００４４】
また、前端部６ａを前向きにして把持した前進動作の状態で、アイロン本体１を後退させることができるとともに、アイロン本体１の向きを変えることなく他方の手に持ち替えると、後端部６ｂを前にして前進させることができる。
【００４５】
把手体１０の側面１０ａを受電部１４の開放端１４ａに向かって先細り状に形成しているので、アイロンかけ時の後退時はもとより、後端部６ｂを前にした前進時も、ベース３の後端部６ｂの視認性を良好に確保することができ、後端部６ｂの方向へアイロン本体１を移動させるときの使い勝手をよくすることができる。
【００４６】
したがって、受電部１４の開放端１４ａは後端部６ｂの近傍に位置することから、必然的に小さくなり、開放端１４ａが外側から嵌合する給電部１８も左右方向に小さく構成する必要がある。
【００４７】
本発明では、受電部１４を給電部１８へ導く誘導部１８ａと膨出部１８ｂを給電部１８の前面に設けるとともに、支持部２２が嵌入するスリット２３を給電部１８の上面の中央部に設け、さらに、支持部２２と、給電部１８の下面１８ｃに当接するカバー部２５に設けたリブ２５ａを、受電部１４の左右方向の略中央位置に設けて給電部１８の左右方向の大きさを小型化し、把手体１０の側面１０ａが後端部６ｂの方向へ先細りした形状を実現している。
【００４８】
また、収容部２４を載置部１７の上面を後方に向かって先細り状に形成しているので、アイロン本体１をスタンド１６へ載置する際に、アイロン本体１の受電部１４を給電部１８に導いて嵌合させることができ、給電部１８の電極２０に受電部１４の受電端子１５を的確に接続することができるとともに、収容部２４をスタンド１６の後部にコンパクトに構成することができる。
【００４９】
また、受電端子１５の下方にベース３の後端部６ｂの上面側を覆うカバー部２５を設けているので、高温に加熱される後端部６ｂの熱を遮り、給電部１８の過熱を防止するとともに、スタンド１６への載置および離脱時に後端部６ｂが給電部１８に当接するのを防止することができる。したがって、後端部６ｂを最適な温度に加熱してアイロンかけをおこなうことができる。
【００５０】
また、カバー部２５は、その外周縁をベース３の外周縁に沿って後端部６ｂまで形成し
ているので、後端部６ｂの視認性を損なうことなく、給電部１８の保護と過熱を防止することができる。
【００５１】
また、把手体１０の一部を構成する受電部１４を下方へ延設してカバー部２５を形成しているので、アイロン本体１の載置時にカバー部２５で給電部１８を前方から包囲することができ、アイロンかけ中の頻繁なスタンド１６への脱着動作時に、給電部１８の保護と過熱を防止することができる。
【００５２】
また、給電部１８の両側にベース３の後端部６ｂの熱を収容部２４から外部へ放出する放熱部２６を設けているので、アイロンかけ中の小休止時にアイロン本体１がスタンド１６に載置された状態に置かれても、後端部６ｂで加熱された収容部２４の熱を放熱部２６から外部へ放出することができるので、収容部２４内の温度上昇を抑えて給電部１８の過熱を防止することができる。
【００５３】
また、放熱部２６は、収容部２４を介して給電部１８の両側と連通するように形成しているので、収容部２４内の空気の流動を円滑にすることができ、収容部２４内の温度上昇を抑えることができる。
【００５４】
また、載置部１７の両側に、アイロン本体１の受電部１４をスタンド１６の給電部１８へ案内するガイド部２７を設け、このガイド部２７の後端２７ａと給電部１８との間に放熱部２６を形成しているので、後端部６ｂで加熱された収容部２４内の空気を至近距離から効率よく外部へ放出することができる。
【００５５】
また、給電部１８は、収容部２４の上面を構成する下面１８ｃを前上がりに傾斜させて形成しているので、アイロン本体１をスタンド１６から容易に取り外すことができる。下面１８ｃの前上がりの傾斜は、かけ面６の前上がりの傾斜よりその角度を大きくしているので、アイロン本体１をスタンド１６から取り外す際に、アイロン本体１を載置状態から上方へ持ち上げても、後端部６ｂが給電部１８の下面１８ｃに当接することなく収容部２４から離脱させることができ、アイロン本体１のスタンド１６への着脱操作性を良好にすることができる。
【００５６】
また、給電部１８は、その前面にアイロン本体１の受電部１４に向かって円弧状に突出した膨出部１８ｂを形成しているので、スタンド１６への載置時に受電部１４の位置が左右方向へずれたとき、受電部１４の開放端１４ａが膨出部１８ｂに当接し、円弧面に沿って開放端１４ａが左右方向へ滑動し、受電部１４が給電部１８に嵌合するようにアイロン本体１を変位させることができ、スタンド１６へ載置時にアイロン本体１の受電部１４を的確に給電部１８に嵌合させることができる。
【００５７】
また、受電部１４内に垂直方向に設けて後方へ突出させた板状の支持部２２と、給電部１８の上面に支持部２２が嵌入可能な溝状のスリット２３と、給電部１８の前面にスリット２３に向かって傾斜する誘導部１８ａを設け、支持部２２がスリット２３に嵌入することによりアイロン本体１の変位方向を規制するようにしているので、スタンド１６への載置時に受電端子１５を電極２０に確実に接続させることができるとともに、収容部２４内に後端部６ｂが入り込んでいる場合でも、スリット２３に支持部２２が所定の長さで嵌合することでアイロン本体１の変位方向が規制され、アイロン本体１をスタンド１６から容易に取り外すことができる。
【００５８】
また、誘導部１８ａを略Ｖ字状に形成し、スリット２３から前方に向かって左右方向へ開くように前面を傾斜させているので、スタンド１６への載置時に支持部２２の先端が誘導部１８ａの傾斜面に当接したとき、スリット２３の入り口に向かって傾斜面を滑動しス
リット２３へと誘導することができ、支持部２２を確実にスリット２３に嵌合させることができる。
【００５９】
したがって、給電部１８の前面の上部に誘導部１８ａを設けて内側へ誘導し、給電部１８の前面の下部に膨出部１８ｂ設けて受電部１４の開放端１４ａを外側へ変位させることができるので、スタンド１６へ載置時にアイロン本体１の受電部１４の位置が上部と下部で的確に矯正され、給電部１８に嵌合させて、受電端子１５と電極２０を確実に接続させることができる。
【００６０】
（実施の形態２）
図９は、本発明の第２の実施の形態におけるコードレスアイロンの要部断面図である。本実施の形態の特徴は、ベース３の後端部６ｂの上面側を覆うカバー部２５を、ベース３の上面側を覆う断熱板９で構成したことである。他の構成は第１の実施の形態と同じであり、詳細な説明は第１の実施の形態のものを援用する。
【００６１】
上記構成によれば、ベース３の前端部６ａから後端部６ｂまでの上面側を断熱板９で切れ目なく覆うことができ、断熱効果を高めることができるとともに、構成を簡略にすることができる。
【００６２】
（実施の形態３）
図１０は、本発明の第３の実施の形態におけるコードレスアイロンの要部断面図である。本実施の形態の特徴は、収容部２４の上面を構成する給電部１８の下面１８ｃに耐熱性のゴム等で構成した保護体３２を設け、アイロン本体１をスタンド１６から取り外すときに、ベース３の後端部６ｂが給電部１８の下面１８ｃに当接するのを防止するようにしたものである。他の構成は第１の実施の形態と同じであり、詳細な説明は第１の実施の形態のものを援用する。
【００６３】
スタンド１６に載置されたアイロン本体１は、受電端子１５が給電部１８の孔１９を貫通して電極２０と接続され、また、支持部２２が給電部１８のスリット２３に嵌入している。アイロン本体１の取り外し時は、受電端子１５が孔１９から離脱し、支持部２２がスリット２３から離脱すると、アイロン本体１はスタンド１６に対して変位方向の規制がなくなる。
【００６４】
したがって、収容部２４内にあるベース３の後端部６ｂが給電部１８の下面１８ｃに当接しやすくなる。保護体３２は、アイロン本体１の変位方向の規制がなくなった後に当接しやすい、前上がりに傾斜した下面１８ｃの上部に設けることが効果的である。
【００６５】
上記構成によれば、アイロン本体１の離脱時にベース３の後端部６ｂが収容部２４から出るとき、後端部６ｂが給電部１８に当接したときの衝撃を緩和することができ、給電部１８を熱と緩衝から保護することができる。
【００６６】
なお、本発明の実施の形態は、その一部を実施してもよく、また記載された範囲内において任意に組み合わせて実施することができる。
【産業上の利用可能性】
【００６７】
以上のように、本発明にかかるコードレスアイロンは、後端部の方向へアイロンを後退させるときの使い勝手をよくして、前進と後退の両方向移動で効率よくアイロンかけをおこなうことができるので、コードレスアイロンとして有用である。
【符号の説明】
【００６８】
１  アイロン本体
３  ベース
６ａ  前端部
６ｂ  後端部
１０  把手体
１４  受電部
１５  受電端子
１６  スタンド
１７  載置部
１８  給電部
２０  電極
２４  収容部
【図１】
2011097970.tif 000003
【図２】
2011097970.tif 000004
【図３】
2011097970.tif 000005
【図４】
2011097970.tif 000006
【図５】
2011097970.tif 000007
【図６】
2011097970.tif 000008
【図７】
2011097970.tif 000009
【図８】
2011097970.tif 000010
【図９】
2011097970.tif 000011
【図１０】
2011097970.tif 000012
【図１１】
2011097970.tif 000013